(57)【要約】【課題】部品点数が最小限の簡単な構成で設計の自由度を有し、安価で、過酷な使用にも耐える高耐久性筆記具構造を提供する。【解決手段】本発明の高耐久性筆記具構造１〜１Ｆは、筆記具芯５０を操出し自在に備える筆記具構造であって、薄板から両端開放の任意断面形筒状に屈曲形成され、筆記具芯を内部に収容する外筒１０〜１０Ｆと、外筒の先端側開口部１１内に嵌装され、筆記具芯の先端筆記部５１を主軸のＸ軸方向に出没させる先端筆記部孔２２が設けられた先端支持部材２０〜２０Ｆと、筆記具芯をその後端部に係脱可能に係合して繰出す筆記具芯繰出し部材４０と、外筒の後端側開口部１２内に嵌装され、筆記具芯繰出し部材と係合し筆記具芯繰出し部材を繰出す繰出し機構３４を備える後端支持部材３０とからなる。前記部材１０、２０、３０、４０等は、ステンレス等の金属又は硬質樹脂材料からなり、外筒は弾性を有する。【選択図】図１
2012187876.tif 000002
【特許請求の範囲】
【請求項１】
筆記具芯を操出し自在に備える筆記具構造であって、
薄板から両端が開放された開口部を有する任意断面形筒状に屈曲形成され、前記筆記具芯を内部に収容する外筒と、
前記外筒の先端側開口部内に嵌装され、前記筆記具芯の先端筆記部を主軸のＸ軸方向に出没させる先端筆記部孔が設けられた先端支持部材と、
前記筆記具芯をその後端部に係脱可能に係合してＸ軸方向に繰出す筆記具芯繰出し部材と、
前記外筒の後端側開口部内に嵌装され、前記筆記具芯繰出し部材と係合して筆記具芯繰出し部材をＸ軸方向に進退させる繰出し機構を備える後端支持部材と、からなることを特徴とする高耐久性筆記具構造。
【請求項２】
前記外筒と先端支持部材及び後端支持部材との嵌装部位には、相互の動きを拘束し固着する先端側固着機構及び後端側固着機構がそれぞれ備えられることを特徴とする請求項１記載の高耐久性筆記具構造。
【請求項３】
前記先端側固着機構及び後端側固着機構は、それぞれ
前記外筒の先端支持部材及び後端支持部材の嵌装部位にそれぞれ一つ又は複数開設された任意形状の先端側係合開口及び後端側係合開口と、
前記先端支持部材及び後端支持部材の前記外筒内嵌装部位の外面が部分的又は全面的にそれぞれ前記外筒に内接する任意断面形状に形成されるとともに、前記内接する外面の前記先端側係合開口及び後端側係合開口に対応する位置に段付状に連続的又は部分的に拡径し形成された鍔部又は突起部と、から構成され、
前記鍔部又は突起部の外面の一部又は全面がそれぞれ前記先端側係合開口及び後端側係合開口内に嵌合して前記外筒の略外面まで露出し係合することにより、前記先端支持部材及び後端支持部材が前記外筒に固着されることを特徴とする請求項２記載の高耐久性筆記具構造。
【請求項４】
前記先端側固着機構及び後端側固着機構は、それぞれ
前記先端支持部材及び後端支持部材の前記外筒内嵌装部位の外面が部分的又は全面的にそれぞれ前記外筒に内接する任意断面形状に形成され、
前記先端支持部材及び後端支持部材が内接する外筒の外面がそれぞれ一箇所又は複数箇所コーキングされることにより、前記先端支持部材及び後端支持部材が前記外筒に固着されることを特徴とする請求項２記載の高耐久性筆記具構造。
【請求項５】
前記繰出し機構は、
前記筆記具芯繰出し部材の外面に形成された雄ねじと、
前記後端支持部材の主軸のＸ軸に沿って前記筆記具芯が挿通可能に貫通し形成され、前記筆記具芯繰出し部材の雄ねじが螺合する雌ねじとから構成され、
前記後端支持部材に螺合する筆記具芯繰出し部材を正逆回転させることにより前記筆記具芯と共にＸ軸方向に進退させることを特徴とする請求項１記載の高耐久性筆記具構造。
【請求項６】
前記外筒は、薄板が屈曲形成される外面内の両端突合せ部がＸ軸方向に沿って任意幅の隙間を有することを特徴とする請求項１乃至請求項５のいずれか１項記載の高耐久性筆記具構造。
【請求項７】
前記外筒は、弾性を有する任意の金属又はステンレス性金属の薄板から選択的に用いられることを特徴とする請求項１乃至請求項６のいずれか１項記載の高耐久性筆記具構造。
【請求項８】
前記先端支持部材、後端支持部材及び筆記具芯繰出し部材は、任意の金属、ステンレス性金属又は硬質樹脂材料から選択的に用いられることを特徴とする請求項１乃至請求項７のいずれか１項記載の高耐久性筆記具構造。
【請求項９】
前記筆記具芯繰出し部材の後端に、任意形状の掛止部材が設けられることを特徴とする請求項１乃至請求項８のいずれか１項記載の高耐久性筆記具構造。
【発明の詳細な説明】
【技術分野】
【０００１】
本発明は、ボールペンなどの筆記具構造に関し、特に簡潔な構成で設計の自由度を有する高耐久性筆記具構造に関する。
【背景技術】
【０００２】
ボールペンやシャープペン等の筆記具は、種々の形状・構造を有し、一般家庭、商店、企業や工場等々で日常茶飯事に使用されている。これら従来の筆記具は、表面が塗装又は鍍金されているか、あるいはプラスチック等の素材が露出しており、一般的には丸棒型で強度的には弱く折れたり屈曲変形したりし易く、使用するときに転がり易い構造になっている。これに対して、全体又はグリップ部など部分的に外形形状を三角形などの非円形断面形状に形成した筆記具が幾つか提案されている。
【０００３】
代表的な第１の例として、図１５、１６に示すように、全体を小型で軽量にするとともに、グリップ１１２の断面形状を三角形にし、テーパー状の先口部１１１とグリップ部の境界に円周縁１１３を設け、更に円周縁の後方に円周突起１１４を設け、この円周縁１１３と円周突起１１４によって人差指、中指及び親指の軸線方向の位置を規制して、正しい持ち方を体得させる幼児用シャープペンシルが提案されている（特許文献１参照）。
【０００４】
第２の例として、図１７に示すように、軸筒の把持部に、外部形状が円柱状及び内部形状が軸筒と同形のグリップ部材２１９を被覆するとともに、前記軸筒内に複数の筆記体２１１、２１２、２１３を配設し、ノック機構を操作することにより、前記筆記体の筆記先端２１７を、軸筒の先端側開口部から選択的に出没可能な多芯筆記具であって、前記軸筒の把持部が、前記筆記体の数と同数又はそれ以上の角部を有する略多角形筒状体とする多芯筆記具２０１が提案されている（特許文献２参照）。
【０００５】
第３の例として、図１８、１９に示すように、ペン軸３０２の先端部側を分割形状で弾性変形可能なグリップ本体３０３とし、ペン軸３０２の後端部側をペン軸３０２に保持可能な保持体３０４とし、この保持体３０４とグリップ本体３０３の間を弾性変形可能な連結体３０５で連結しペン軸全長に亘って保持するグリップ３０１とし、グリップ本体３０３の分割された突き出し部３０６は、弾性変形によりペン軸３０２を保持する筆記用グリップを装着した筆記具が提案されている（特許文献３参照）
【０００６】
第４の例として、図２０、２１に示すように、第１スクリュー溝４１１が内周面に形成された外軸カム４１０と、第１スクリュー溝４１１に対応して螺合される第１スクリュー４３１が一側に形成され、第２スクリュー４３５が他側に形成されたカートリッジホルダ４３０と、カートリッジホルダ４３０が軸心に一致し、第２スクリュー４３５に対応して螺合されるように、第２スクリュー溝４４５が内周面に形成された内軸カム４４０と、内軸カム４４０の固定部４４１が軸心に一致し、ヘッド部４５１の定着孔４５９に固定され、複数の羽部４５４、４５６がヘッド部４５１の一側から他側まで伸びる外軸部４５０とを含み、外軸カム４１０と外軸部４５０の往復直線移動による軸長の伸張又は縮小によって、カートリッジホルダ４３０に結合されたペン芯４２０のチップ４２８が外軸カム４１０のチップ孔４１８を通じて出没するように結合されている操出式伸縮筆記具が提案されている（特許文献４参照）。
【０００７】
しかしながら、特許文献１に記載の幼児用シャープペンシルは、軸筒１０１にコネクター１０３が取り付けられ、コネクター１０３にシャープペンシル中具であるチャック１０４、チャックリング１０５、ノックスプリング１０７および芯ケース１０６が組付けられている。つまり、テーパー状の外周面にチャックリング１０５が填め込まれたチャック１０４がコネクター１０３の前方から挿入され、このチャック１０４の尾端がコネクター１０３の後方から挿入された芯ケース１０６に圧入されており、コネクター１０３と芯ケース１０６の間に介装されたノックスプリング１０７が芯ケース１０６及びチャック１０４を尾端側に弾発している。従って、チャック１０４はチャックリング１０５で締め付けられ、中心孔に挿通された鉛芯１０９を咬持する。
【０００８】
芯ケース１０６の尾端にはノックカバー１０２が嵌着され、軸筒１０１の尾端開口から突出している。そして、ノックカバー１０２を指先で押圧してノック操作を行うとチャック１０４が前進して鉛芯１０９が先口部１１１の先端開口から繰出し、ノック操作を解除すると後退したチャック１０４が再び鉛芯１０９を咬持して筆記可能になる。
【０００９】
軸筒１０１の先端がテーパー状の先口部１１１であり、先口部１１１内に、ノック時にチャック１０４から解放された鉛芯１０９を軽く保持するブレーカー１０８が配置されている。また、図１６（ｂ）に示すように、先口部１１１に隣接する軸筒１０１表面にグリップ部１１２が形成されており、その断面形状が、隅部が丸みを帯びた三角断面形状をしている。
【００１０】
このような構成の幼児用シャープペンシルは、部品点数が多く、特にグリップ部１１２周りの構造が複雑な形状であるとともに芯ケース１０６が細くなっており強度的には比較的弱く、折れたり屈曲変形したりし易い等の問題点がある。
【００１１】
特許文献２に記載の多芯筆記具２０１は、前軸２０２の後端に後軸２０３を装着し、さらに後軸２０３に摺動体ケース２０４を装着して軸筒を構成し、軸筒内に、筆記体２０８を、コイルスプリング２１７により後方に付勢させ収納している。筆記体２０８は、インキ収容筒２１１の先端側開口部に、ボール（図示せず）を回転自在に抱持したチップ部材を筆記先端部２１４として圧入装着したボールペン体である。また、筆記体２０８のインキ収容筒２１１の後端側開口部には、操作体となる摺動体２０５の先端部を圧入装着し、隆起部２０５ａが、摺動体ケース２０４に形成した係止窓２０４ａから摺動体ケース２０４の外周面より突出するような状態に保持する。また、摺動体ケース２０４にはクリップ部材２１９が摺動体ケース２０４に対し回転可能（矢印Ｆ及び／又はＧ方向）に付設してある。また、筆記体２０８と同様にして、軸筒内に筆記体２０８とは色の異なる筆記体２０９、２１０を配設してあり、筆記体２０９、２１０にはインキ収容筒２１２、２１３、筆記先端部２１５、２１６、摺動体２０６、２０７を付設したボールペン体を、コイルスプリング（図示せず）により後方に付勢させ収納している３色ボールペンの多芯筆記具である。
【００１２】
前軸２の把持部は筆記体２０８、２０９、２１０が３本であるため、図１７（ｂ）に示すように、略三角形筒状体からなり、この前軸２０２の把持部に、外部形状が円柱状のグリップ部材２１８を二色成形により被覆している。
【００１３】
このような構成の多芯筆記具２０１も、部品点数が多く、全体的に複雑な形状・構造で特に軸筒が前軸２０２、後軸２０３及び摺動体ケース２０４の３分割連結体の複雑な形状であるとともに、これらの肉厚が部分的に薄くなったり、把持部が細くなったりしており、それらの断面形状の急変部が強度的には比較的弱く、折れたり屈曲変形したりし易い等の問題点がある。
【００１４】
特許文献３に記載の筆記用グリップを装着した筆記具は、ペン軸３０２、グリップ本体３０３、保持体３０４の分割体を連結体３０５で連結しペン軸全長に亘って保持するグリップ３０１とし、グリップ本体３０３の分割された突き出し部３０６は、弾性変形によりペン軸３０２を保持する筆記用グリップを装着した複雑な構造である。
【００１５】
また、突き出し部３０６は、使用者の指の部位にそれぞれ接触し、筆記時は常に指圧がかかっていて、この指圧によりこれが弾性変形しペン軸３０２側に押圧する。この突き出し部３０６は、ダンパー効果を生じさせる構造を有しており、突き出し部３０６の押圧部を指圧により凹ませるようにし、ダンパー効果を生じさせている。この構造は、突き出し部３０６に形成された凹部３０７、封入体３０８、被覆体３０９からなる。封入体３０８は、内部に柔軟物質である低硬度樹脂のゲル状物、あるいは水、シリコンオイル等の液体を内部に封入したものである。封入体３０８の外形は、楕円球状であり、その外皮は、ブタジエン等の合成ゴム又は天然ゴム、シリコン、合成樹脂エラストマー等から作られている。
【００１６】
このような構成の筆記用グリップを装着した筆記具も、部品点数が多く、全体的に複雑な構成となっているとともに、特に弾性変形可能な連結体３０５で連結したペン軸３０２が細くなっており、さらに熱可塑性樹脂からなるグリップ本体３０３、連結体３０５、及び保持部３０４などとも強度的には比較的弱い等の問題点がある。
【００１７】
特許文献４に記載の操出式伸縮筆記具は、外軸カム４１０、ペン芯４２０、カートリッジホルダ４３０、内軸カム４４０及び外軸部４５０からなっている。外軸カム４１０は、中空４１９を有する軸状体で、ペン芯４２０のチップ４２８が出没するようにチップ孔４１８が形成された中空円錐状部と、陥没した第２両側表面４１４、４１６と、これに対して直角に配置され、相対的に突出した第１両側表面とを有し、第２両側表面４１４、４１６の内側に軸方向に中空が形成され、ペン芯４２０、カートリッジホルダ４３０及び内軸カム４４０が挿入される。
【００１８】
外軸カム４１０において、チップ孔４１８に近接した内周面に形成された第１スクリュー溝４１１が第１スクリュー３１と螺合され、ペン芯４２０のチップ４２８が外軸カム４１０のチップ孔の内側から外側に適正量突出するように第１スクリュー３１がスライドする。第１スクリュー４３１と第２スクリュー４３５は、エンジニアリングプラスチックからなる。
【００１９】
また、陥没した第２両側表面４１４、４１６において、ペン芯４２０が挿入される側の部位には係止突起４１２がそれぞれ形成され、伸張作動の際、ガイドの役割と伸張後のストッパーの役割を果たす。ペン芯４２０は、インクを収容するポール４２２及び筆記部であるチップ４２８からなる。
【００２０】
カートリッジホルダ４３０は、ペン芯４２０を内径の軸心と一致させた状態で挿入及び固定する機能を有し、二重スクリュー方式の伸縮／出没メカニズムのために、開放端の外周面に第１スクリュー４３１が形成され、この端部からペン芯固定部４３６の始点までの円周面に第２スクリュー４３５が形成されている。
【００２１】
ペン芯固定部４３６は中空円筒形状で、通気孔４３７を除く端部面が閉鎖され、ペン芯４２０を固定させるための大きさの固定位置４３８が形成され、内軸カム４４０の固定部４４１の内側から軸方向に形成された回転孔４４６に回転可能に結合される。カートリッジホルダ４３０は、その回転により第１スクリュー４３１と第２スクリュー４３５を回転させる。
【００２２】
ここで、第１スクリュー４３１は、第１スクリュー溝４１１に対応して相対的に狭い間隔のネジピッチを有し、第２スクリュー４３５は、第２スクリュー溝４４５に対応して相対的に広いネジピッチを有する。このような第１スクリュー４３１は外軸カム４１０の内周面に形成された第１スクリュー溝４１１に対して螺合するネジ対応関係にあり、第２スクリュー４３５は内軸カム４４０の内周面４４９に形成された第２スクリュー４４５に対してネジ対応関係にある。
【００２３】
このような構成の操出式伸縮筆記具は、軸長の伸縮と同時にペン芯４２０の出没をもたらす二重スクリュー方式の伸縮／出没メカニズムにより、コンパクトなサイズ及び流線型デザインを有しているが、全体的に複雑な形状及び構成となっているとともに、特にカートリッジホルダ４３０が外軸カム４１０から離脱することを防ぐために、第１スクリュー４３１と第２スクリュー４３５の螺旋始点位置は円周方向に互いに一致しないように配置され、螺旋運動の始点が互いに異なるように設計する必要があるなど設計の自由度に欠ける等の問題点がある。
【００２４】
これら従来の筆記具においては、いずれも形状及び構成が複雑で部品点数も多くコスト高で、設計の自由度に欠けるとともに、例えば工場や工事現場など過酷に使用する場合における耐久性も乏しい等々の問題点があった。
【先行技術文献】
【特許文献】
【００２５】
【特許文献１】特開平１０−１００５８２号公報
【特許文献２】特開２００４−５８５４９号公報
【特許文献３】特開２００９−１７８８５２号公報
【特許文献４】特表２００８−５２６５７１号公報
【発明の概要】
【発明が解決しようとする課題】
【００２６】
本発明は、上記従来技術の問題点に鑑みてなされたものであって、本発明の目的は、部品点数を最小限に少なくして簡単な構成で設計の自由度を有し、安価で、工場や工事現場などでの過酷な使用にも耐える高耐久性筆記具構造を提供することにある。
【課題を解決するための手段】
【００２７】
上記目的を達成するため、本発明の高耐久性筆記具構造は、筆記具芯を操出し自在に備える筆記具構造であって、薄板から両端が開放された開口部を有する任意断面形筒状に屈曲形成され、前記筆記具芯を内部に収容する外筒と、前記外筒の先端側開口部内に嵌装され、前記筆記具芯の先端筆記部を主軸のＸ軸方向に出没させる先端筆記部孔が設けられた先端支持部材と、前記筆記具芯をその後端部に係脱可能に係合してＸ軸方向に繰出す筆記具芯繰出し部材と、前記外筒の後端側開口部内に嵌装され、前記筆記具芯繰出し部材と係合して筆記具芯繰出し部材をＸ軸方向に進退させる繰出し機構を備える後端支持部材と、からなることを特徴とする。
【００２８】
また、前記外筒と先端支持部材及び後端支持部材との嵌装部位には、相互の動きを拘束し固着する先端側固着機構及び後端側固着機構がそれぞれ備えられる。
【００２９】
また、前記先端固着機構及び後端固着機構は、それぞれ前記外筒の先端支持部材及び後端支持部材の嵌装部位に一つ又は複数開設された任意形状の先端側係合開口及び後端側係合開口と、前記先端支持部材及び後端支持部材の前記外筒内嵌装部位の外面が部分的又は全面的にそれぞれ前記外筒に内接する任意断面形状に形成されるとともに、前記内接する外面の前記先端側係合開口及び後端側係合開口に対応する位置に段付状に連続的又は部分的に拡径し形成された鍔部又は突起部と、から構成され、前記鍔部又は突起部の外面の一部又は全面がそれぞれ前記先端側係合開口及び後端側係合開口内に嵌合して前記外筒の略外面まで露出し係合することにより、前記先端支持部材及び後端支持部材が前記外筒に固着されることを特徴とする。
【００３０】
また、前記先端固着機構及び後端固着機構は、それぞれ前記先端支持部材及び後端支持部材の前記外筒内嵌装部位の外面が部分的又は全面的にそれぞれ前記外筒に内接する任意断面形状に形成され、前記先端支持部材及び後端支持部材が内接する外筒の外面がそれぞれ一箇所又は複数箇所コーキングされることにより、前記先端支持部材及び後端支持部材が前記外筒に固着される構成とすることもできる。
【００３１】
また、本発明の前記繰出し機構は、前記筆記具芯繰出し部材の外面に形成された雄ねじと、前記後端支持部材の主軸のＸ軸に沿って前記筆記具芯が挿通可能に貫通し形成され、前記筆記具芯繰出し部材の雄ねじが螺合する雌ねじとから構成され、前記後端支持部材に螺合する筆記具芯繰出し部材を正逆回転させることにより前記筆記具芯と共にＸ軸方向に進退させることを特徴とする。
【００３２】
また、本発明の前記外筒は、薄板が一外面内の両端突合せ部がＸ軸方向に沿って任意幅の隙間を有する開断面形状に屈曲形成されることを特徴とする。
【００３３】
また、前記外筒は、弾性を有する任意の金属又はステンレス性金属の薄板から選択的に用いられることを特徴とする。
【００３４】
また、前記先端支持部材、後端支持部材及び筆記具芯繰出し部材は、任意の金属、ステンレス性金属又は硬質樹脂材料から選択的に用いられることを特徴とする。
【００３５】
さらに、前記筆記具芯繰出し部材の後端に、任意形状の掛止部材が設けられることを特徴とする。
【発明の効果】
【００３６】
本発明によれば、薄板から任意断面形筒状に屈曲形成された外筒と、外筒の先端開口部内に嵌装された先端支持部材と、筆記具芯を繰出す筆記具芯繰出し部材と、外筒の後端開口部内に嵌装され、筆記具芯繰出し部材と係合して筆記具芯繰出し部材を進退させる繰出し機構を備える後端支持部材と、から構成されることから、部品点数を最小限に少なくして簡単な構成で安価な任意の寸法に構成とすることが容易にできるため設計の自由度を有し、工場や工事現場などでの過酷な使用にも耐える高耐久性筆記具構造を提供できる効果がある。
【００３７】
また、外筒を三角形や多角形などの非円形断面形状とした場合は、使用時に不意の転がりによる机上等からの落下防止や特別に把持部を設けることなく安定した握り感のある把持性が確保される効果もある。
【００３８】
また、外筒と先端支持部材及び後端支持部材との嵌装部位には、相互の動きを拘束し固着する先端固着機構及び後端固着機構がそれぞれ備えられることから、高耐久性筆記具構造の信頼性が確保される効果がある。
【００３９】
また、先端固着機構及び後端固着機構は、それぞれ外筒に一つ又は複数開設された先端側係合開口及び後端側係合開口内に、先端支持部材及び後端支持部材の外筒に内接する外面に形成された鍔部又は突起部が部分的又は全体的にそれぞれ嵌合することにより、先端支持部材及び後端支持部材が外筒に固着されることから、簡単な構造で組立てが容易になる効果がある。
【００４０】
また、先端固着機構及び後端固着機構は、それぞれ先端支持部材及び後端支持部材が内接する外筒の外面がそれぞれ一箇所又は複数箇所コーキングされることにより構成されることから、先端支持部材及び後端支持部材の鍔部又は突起部を省いて一層簡単な構造で製作費を安価にできる効果がある。
【００４１】
また、本発明の繰出し機構は、筆記具芯繰出し部材の外面に形成された雄ねじと後端支持部材に形成された筆記具芯繰出し部材の雄ねじが螺合する雌ねじとから構成されることから、部品数も最小限で簡潔な信頼性の高い構造とすることができる効果がある。
【００４２】
また、外筒は、薄板が外面内の両端突合せ部がＸ軸方向に沿って任意幅の隙間を有する開断面形状に屈曲形成されることから、その隙間から筆記具芯などの内部の状態を観察することができるとともに、その隙間から外筒を押し広げて先端側固着機構及び後端側固着機構の係脱が可能となり、先端支持部材及び後端支持部材の取付け・取外しを容易に行うことができ、組立て及びメンテナンスの利便性が確保される効果がある。
【００４３】
また、外筒は、弾性を有する任意の金属あるいはステンレス性金属の薄板から選択的に用いられることから、使用状況に応じた設計の自由度が一層広がるとともに、特にステンレス性金属を用いる場合は塗装やメッキなどの表面処理なしでも美観及び耐久性を恒久的に確保できる。さらに、外筒の弾性力により先端側固着機構及び後端側固着機構の係脱の信頼性を確保し、外筒が比較的容易に拡縮する可逆的弾性変形により先端支持部材及び後端支持部材の取付け・取外しを容易化する等々の効果がある。
【００４４】
また、先端支持部材、後端支持部材及び筆記具芯繰出し部材は、特にステンレス性金属や硬質樹脂材料から選択的に用いる場合、塗装やメッキなどの表面処理なしでも美観及び耐久性を恒久的に確保できる。また、硬質樹脂製の後端支持部材とステンレス性金属の筆記具芯繰出し部材との組合せあるいは両者異種金属を選択した場合は、両者のねじ式繰出し機構における良好なオイレス潤滑性が確保される等の効果がある。
【００４５】
さらに、筆記具芯繰出し部材の後端に、リングやフック型など任意形状の掛止部材が設けられることから、掛止部材が使用時の把持部ともなるとともに不使用時には任意の場所に掛止めすることができる利便性が確保される効果がある。
【図面の簡単な説明】
【００４６】
【図１】本発明の一実施形態（実施例１）の高耐久性筆記具構造の概念を示す平面図である。
【図２】図１の高耐久性筆記具構造の側面図である。
【図３】図２の高耐久性筆記具構造のＡ−Ａ矢視断面図である。
【図４】図２の高耐久性筆記具構造の縦断面図である。
【図５】本発明の実施例１の先端支持部材の縦断面図である。
【図６】図５の先端支持部材のＢ−Ｂ矢視（正面）図である。
【図７】本発明の実施例１の後端支持部材の縦断面図である。
【図８】図７の後端支持部材の正面図である。
【図９】本発明の別の実施形態（実施例２）の高耐久性筆記具構造の要部（先端側固着機構部）断面図である。
【図１０】本発明のまた別の実施形態（実施例３）の高耐久性筆記具構造の要部（先端側固着機構部）断面図である。
【図１１】本発明のまた別の実施形態（実施例４）の高耐久性筆記具構造の要部（先端側固着機構部）断面図である。
【図１２】本発明のまた別の実施形態（実施例５）の高耐久性筆記具構造の要部（先端側固着機構部）断面図である。
【図１３】本発明のまた別の実施形態（実施例６）の高耐久性筆記具構造の要部（先端側固着機構部）断面図である。
【図１４】本発明のさらに別の実施形態（実施例７）の高耐久性筆記具構造の要部（先端側固着機構部）断面図である。
【図１５】従来（特許文献１）の幼児用シャープペンシルの外観図である。
【図１６】（ａ）は図１５の幼児用シャープペンシルの縦断面図、（ｂ）は図１５の幼児用シャープペンシルのグリップの断面図である。
【図１７】（ａ）は従来（特許文献２）の多芯筆記具の縦断面図、（ｂ）は（ａ）の多芯筆記具の把持部のＨ−Ｈ矢視断面図である。
【図１８】従来（特許文献３）の筆記用グリップを装着した筆記具の外観斜視図である。
【図１９】図１８の筆記用グリップを装着した筆記具のグリップ本体のＪ−Ｊ矢視断面図である。
【図２０】従来（特許文献４）の操出式伸縮筆記具の縦断面図である。
【図２１】図２０の操出式伸縮筆記具の構造を説明するための分解図である。
【発明を実施するための形態】
【００４７】
以下、本発明の筆記具構造を実施するための形態の具体例を、添付図面を参照しながら説明する。これらの添付図中、実施例１〜７の高耐久性筆記具構造１、１Ａ、１Ｂ、１Ｃ、１Ｄ、１Ｅ、１Ｆにおける一部部材形状等が異なっていても同じ部材には同一の符号を付してある。
【実施例１】
【００４８】
本発明の実施例１の高耐久性筆記具構造１は、図１〜３に示すように、例えばボールペンなどの筆記具芯５０を操出し自在に備える筆記具構造であって、薄板から両端が開放された先端側開口部１１、後端側開口部１２を有する略正三角形断面形筒状に屈曲形成され、筆記具芯５０を内部に収容する外筒１０と、外筒１０の先端側開口部１１内に嵌装され、筆記具芯５０の先端筆記部５１を主軸のＸ軸方向に出没させる先端筆記部孔２２が設けられた先端支持部材２０と、筆記具芯５０をその後端部に係脱可能に係合してＸ軸方向に繰出す筆記具芯繰出し部材４０と、外筒１０の後端側開口部１２部内に嵌装され、筆記具芯繰出し部材４０と係合して筆記具芯繰出し部材４０をＸ軸方向に進退させる繰出し機構３４を備える後端支持部材３０と、を有する。
【００４９】
実施例１の外筒１０は、図１、３に示すように、例えば厚さ１ｍｍの薄板が一外面内の両端突合せ部がＸ軸方向に沿って任意幅ｂ例えばｂ＝２ｍｍの隙間を有する辺長ａ例えばａ＝１５ｍｍの開断面略正三角形形状に屈曲形成され、三つの稜線角部はそれぞれ滑らかな略円弧面状に形成されている。また、外筒１０の先端支持部材２０及び後端支持部材３０の嵌装部位の三面には、それぞれＸ軸に対して対称的に任意の大きさ例えばＸ軸方向幅ｃ＝５ｍｍ、Ｘ軸直角方向幅ｅ＝４ｍｍの四角形に形成された先端側係合開口１４及び後端側係合開口１５が開設されている。
【００５０】
さらに、外筒１０の先端側開口部１１先端部及び後端側開口部１２後端部の各三つの稜線角部は、いずれも図示しないが、カットされ滑らかに形成することが、美観及び安全面からも人に優しく望ましい。
【００５１】
外筒１０は、弾性を有する任意の金属あるいはステンレス性金属の薄板から選択的に用いられる。
【００５２】
これにより使用状況に応じた金属の薄板を選択することにより設計の自由度が広がるとともに、特にステンレス性金属を用いる場合は塗装やメッキなどの表面処理なしでも美観及び耐久性を恒久的に確保できる。
【００５３】
ここで、外筒１０の「弾性を有する薄板」を用いる点と「薄板の突合せ部の隙間１３を有する開断面形状」に屈曲形成される点は、本発明の重要な特徴の一部であり、具体的に後述する。
【００５４】
先端支持部材２０は、図３〜６に示すように、外筒１０の先端側開口部１１内への嵌装部位となる後半部が先端側開口部１１内に内接する例えば外径Ｄ２≒７．６ｍｍの円筒面２４に形成されるとともに、先端側係合開口１４に対応する円筒面２４の主軸のＸ軸方向中間部にＸ軸方向幅ｆ≒４．９ｍｍの段付状に拡径した例えば外径Ｄ１≒８．６ｍｍの鍔部２３が形成されている。円筒面２４の先端側外面２５は、先細り円錐体面状に形成されている。
【００５５】
この鍔部２３のＸ軸に対して対称的な、すなわち円周方向３等分間隔の３箇所の外面の一部が先端側係合開口１４内に嵌合して外筒１０の略外面まで部分的に露出し係合することにより、先端支持部材２０の後半部が外筒１０に対して相対的な動き（Ｘ軸方向移動及びＸ軸周り回転）が拘束されて先端側開口部１１内に固着される。このように、外筒１０の先端側係合開口１４と先端支持部材２０の鍔部２３とで、外筒１０と先端支持部材２０との嵌装部位における相互の動きを拘束し固着される先端固着機構１６が構成される。
【００５６】
また、先端支持部材２０は、Ｘ軸に沿って筆記具芯５０の先端筆記部５１をガイドし出没させる先端筆記部孔２２が先端側に設けられ、先端筆記部孔２２の後端側に筆記具芯５０の後側部材例えばボールペンのインク収容筒５２を挿通する筆記具芯挿通孔２１が拡径し穿設されている。この筆記具芯挿通孔２１と先端筆記部孔２２との接続部に形成される段部２６は、インク収容筒５２の先端部が当接して受止められるストッパー機能を有する。筆記具芯挿通孔２１の後端角部は、全周カットされテーパー面２７が形成されている。このテーパー面２７は、筆記具芯５０の先端筆記部５１を筆記具芯挿通孔２１内に挿通し易くするガイド機能を有する。
【００５７】
後端支持部材３０は、図１、２、４、７、８に示すように、外筒１０の後端側開口部１２内への嵌装部位となる外面が後端側開口部１２内に内接する例えば外径Ｄ２≒７．６ｍｍの円筒面３３に形成されるとともに、後端側係合開口１５に対応する円筒面３３の主軸のＸ軸方向中間部に例えばＸ軸方向幅ｆ≒４．９ｍｍの段付状に拡径した例えば外径Ｄ１≒８．６ｍｍの鍔部３２が形成されている。
【００５８】
この鍔部３２のＸ軸に対して対称的な、すなわち円周方向３等分間隔の３箇所の外面の一部が後端側係合開口１５内に嵌合して外筒１０の略外面まで部分的に露出し係合することにより、後端支持部材３０が外筒１０に対して相対的な動き（Ｘ軸方向移動及びＸ軸周り回転）が拘束されて後端側開口部１２内に固着される。このように、外筒１０の後端側係合開口１５と後端支持部材３０の鍔部３２とで、外筒１０と後端支持部材３０との嵌装部位における相互の動きを拘束し固着される後端固着機構１７が構成される。
【００５９】
また、後端支持部材３０には、Ｘ軸に沿って筆記具芯５０及び筆記具芯繰出し部材４０が挿通可能に貫通する雌ねじ３１が形成されている。雌ねじ３１の前端及び後端角部は、全周カットされテーパー面が形成されている。特に後端角部のテーパー面は、筆記具芯５０の先端筆記部５１を雌ねじ３１内に挿通し易くするガイド機能を有する。
【００６０】
このように、先端固着機構１６及び後端固着機構１７は、それぞれ外筒１０に三つ開設された先端側係合開口１４及び後端側係合開口１５内に、先端支持部材２０及び後端支持部材３０の外筒に内接する外面２４、３３に形成された鍔部２３、３２が部分的にそれぞれ嵌合することにより、先端支持部材２０及び後端支持部材３０が外筒１０に固着されることから、簡単な構造で組立て又は分解が容易になる。この組立て又は分解が容易となる具体的な理由は、次の通りである。
【００６１】
外筒１０が弾性を有する薄板を用い、一外面に突合せ部の隙間１３を有する開断面形状に屈曲形成されることから外筒１０が可逆的に拡縮変形（弾性変形）することが比較的容易となるため、組立て時に先端支持部材２０及び後端支持部材３０をそれぞれ後端側外面２４、前端側外面３３から外筒１０の先端側開口部１１、後端側開口部１２内へ押込むことにより鍔部２３、３２が外筒１０を一時的に押し広げて挿入され乗り超えるようにして、図１〜４に示すように、先端側開口部１１、後端側開口部１２内へ部分的に嵌合することにより容易に先端側開口部１１、後端側開口部１２内に固着される。
【００６２】
したがって、先端支持部材２０及び後端支持部材３０の外面２４、３３径を、先端側開口部１１、後端側開口部１２内面に対して強く当接するよう太めに設定することにより上記外筒１０の弾性力による先端固着機構１６及び後端固着機構１７の固着性能が向上することも容易に理解できる。
【００６３】
また、分解時には、適宜工具を用いてそれぞれ先端側開口部１１、後端側開口部１２近辺の隙間１３を介して外筒１０を一時的に押し広げて先端側開口部１１、後端側開口部１２内から鍔部２３、３２の部分的な嵌合を離脱させることにより、容易に先端側開口部１１、後端側開口部１２内からそれぞれ先端支持部材２０及び後端支持部材３０を取外すことができる。
【００６４】
このような先端固着機構１６及び後端固着機構１７の構成により、先端支持部材２０及び後端支持部材３０は、外筒１０の先端側開口部１１、後端側開口部１２内に着脱可能に嵌装される。
【００６５】
筆記具芯繰出し部材４０は、図４に示すように、先端部に筆記具芯５０のインク収容筒５２の後端内に嵌合する小径の先端係合部４３が、後端部に比較的大径の把持部４２がそれぞれ形成され、先端係合部４３と把持部４２との間の外面に後端支持部材３０の雌ねじ３１に螺合する雄ねじ４１が形成されている。雄ねじ４１は、先端係合部４３より太めで把持部４２と同等以下の径を有する。
【００６６】
また、筆記具芯繰出し部材４０の後端に、掛止部材取付孔４４を介してリングやフック型など任意形状の掛止部材６０が設けられる。
【００６７】
この掛止部材６０は、筆記具芯５０を繰出す際の把持部ともなるとともに、不使用時に任意の場所に掛止めすることができる等の利便性が確保される。
【００６８】
後端支持部材３０の雌ねじ３１に螺合する筆記具芯繰出し部材４０を正逆回転させることにより筆記具芯５０と共にＸ軸方向に進退させる。このように、筆記具芯繰出し部材４０の雄ねじ４１とこれに螺合する後端支持部材３０の雌ねじ３１とから、部品数も最小限で簡潔な信頼性の高い繰出し機構３４が構成される。
【００６９】
先端支持部材２０、後端支持部材３０及び筆記具芯繰出し部材４０は、任意の金属、ステンレス性金属又は硬質樹脂材料から選択的に用いられる。
【００７０】
これにより、各種広範な用途の安価で任意寸法形状による設計の自由度に優れた高耐久性筆記具構造１を提供できる。また、これらの部材２０、３０及び４０に特にステンレス性金属や硬質樹脂材料から選択的に用いる場合、塗装やメッキなどの表面処理なしでも美観及び耐久性を恒久的に確保できる。
【００７１】
また、例えば硬質樹脂製の後端支持部材３０とステンレス性金属の筆記具芯繰出し部材４０との組合せあるいは両者異種金属を選択した場合は、両者のねじ式繰出し機構３４における良好なオイレス潤滑性が確保される。
【実施例２】
【００７２】
本発明の別の実施形態（実施例２）の高耐久性筆記具構造１Ａは、前記実施例１の図３に匹敵する断面図である図９に示すように、先端支持部材２０Ａ及び図示しない後端支持部材の外面構造が異なる点を除いて前記実施例１と同様に構成される。
【００７３】
すなわち、実施例２の外筒１０のそれぞれ先端側開口部、後端側開口部に内接する先端支持部材２０Ａ及び図示しない後端支持部材の外面２４Ａの先端側係合開口１４及び図示しない後端側係合開口に対応する周方向等分３箇所の位置にそれぞれ部分的に段付状に拡径し形成された略四角形平面形状の部分鍔部（又は突起部）２３Ａが形成されて先端側係合開口１４及び後端側係合開口内に突起部２３Ａの全体が先端側係合開口１４及び後端側係合開口内に嵌合する点（すなわち先端固着機構１６Ａ及び後端固着機構）が、実施例１の鍔部２３が全周に亘り連続して形成される点と異なるだけである。したがって、これ以上の詳細な説明は省略する。
【実施例３】
【００７４】
本発明のまた別の実施形態（実施例３）の高耐久性筆記具構造１Ｂは、前記実施例１の図３に匹敵する断面図である図１０に示すように、外筒１０Ｂの断面形状が異なる点を除いて前記実施例１と同様に構成される。
【００７５】
すなわち、実施例３の外筒１０Ｂは、厚さ１ｍｍの薄板が一外面内の両端突合せ部が主軸（Ｘ軸）方向に沿って幅ｂＢ＝２ｍｍの隙間１３Ｂを有する開断面形状の辺長ａＢ＝１５ｍｍの略正四角形に形成され、四つの稜線角部はそれぞれ滑らかな略円弧面状に形成されている。また、外筒１０Ｂの先端支持部材２０及び図示しない後端支持部材の嵌装部位の四面のそれぞれＸ軸に対して対称的な周方向四箇所にＸ軸方向幅ｃ＝５ｍｍ、Ｘ軸直角方向幅ｅ＝４ｍｍの四角形に形成された先端側係合開口１４Ｂ及び図示しない後端側係合開口が開設され、先端支持部材２０及び後端支持部材のそれぞれ鍔部２３の周方向等分四箇所が部分的に先端側係合開口１４Ｂ及び後端側係合開口内に勘合する点（すなわち先端固着機構１６Ｂ及び後端固着機構）が、実施例１の外筒１０が開断面形正三角形に形成される点と異なるだけである。したがって、これ以上の詳細な説明は省略する。
【実施例４】
【００７６】
本発明のまた別の実施形態（実施例４）の高耐久性筆記具構造１Ｃは、前記実施例１の図３に匹敵する断面図である図１１に示すように、先端支持部材２０Ｃ及び図示しない後端支持部材の外面構造が異なる点を除いて前記実施例１と同様に構成される。
【００７７】
すなわち、実施例４の先端支持部材２０Ｃ及び図示しない後端支持部材は、外筒１０のそれぞれ先端側開口部、後端側開口部に全面的に内接する略正三角形断面形状に形成され、各外面２４Ｃの、先端側係合開口１４及び図示しない後端側係合開口に対応する周方向等分３箇所の位置にそれぞれ部分的に段付状に拡径し形成された略四角形平面形状の部分鍔部（又は突起部）２３Ｃが形成されて先端側係合開口１４及び後端側係合開口内に突起部２３Ｃの全体が先端側係合開口１４及び後端側係合開口内に嵌合する点（すなわち先端固着機構１６Ｃ及び後端固着機構）が、実施例１の鍔部２３が円筒状外面２４の中間部全周に亘り連続して形成される点と異なるだけである。したがって、これ以上の詳細な説明は省略する。
【実施例５】
【００７８】
本発明のまた別の実施形態（実施例５）の高耐久性筆記具構造１Ｄは、前記実施例１の図３に匹敵する断面図である図１２に示すように、先端支持部材２０Ｄ及び図示しない後端支持部材の外面構造が異なる点を除いて前記実施例４と同様に構成される。
【００７９】
すなわち、実施例５の先端支持部材２０Ｄ及び図示しない後端支持部材の外面２４Ｄが外筒１０のそれぞれ先端側開口部、後端側開口部に三面が内接する正六角形断面形状に形成される点が、実施例４の先端支持部材２０Ｃ及び後端支持部材の外面２４Ｃが略正三角形断面形状に形成される点と異なるだけである。したがって、これ以上の詳細な説明は省略する。
【実施例６】
【００８０】
本発明のまた別の実施形態（実施例６）の高耐久性筆記具構造１Ｅは、前記実施例１の図３に匹敵する断面図である図１３に示すように、外筒１０Ｅの断面形状が異なる点を除いて前記実施例２と同様に構成される。
【００８１】
すなわち、実施例６の外筒１０Ｅは、厚さ１ｍｍの薄板が外面内の両端突合せ部が主軸（Ｘ軸）方向に沿って幅ｂＥ＝２ｍｍの隙間を有する開断面形状の外径８．６ｍｍの円筒形に形成されている。また、外筒１０Ｅの先端支持部材２０Ａ及び図示しない後端支持部材の嵌装部位のそれぞれＸ軸に対して対称的な周方向等分三箇所にＸ軸方向幅５ｍｍ、Ｘ軸直角方向幅ｅＥ＝４ｍｍの四角形平面形状に形成された先端側係合開口１４Ｅ及び図示しない後端側係合開口が開設され、先端支持部材２０Ａ及び後端支持部材の鍔部（又は突起部）２３Ａの全体がそれぞれ先端側係合開口１４及び後端側係合開口内に嵌合する点すなわち先端固着機構１６Ｅ及び後端固着機構が、実施例２の外筒１０が開断面形正三角形に形成される点と異なるだけである。したがって、これ以上の詳細な説明は省略する。
【実施例７】
【００８２】
本発明のさらに別の実施形態（実施例７）の高耐久性筆記具構造１Ｆは、前記実施例１の図３に匹敵する断面図である図１４に示すように、外筒１０Ｅの先端側係合開口１４Ｅ及び図示しない後端側係合開口と先端支持部材２０Ｆ及び図示しない後端支持部材の外面２４Ｆに形成される鍔部（又は突起部）２３Ａからなる先端固着機構１６Ｅ及び後端固着機構の個数がそれぞれ一個ずつである点を除いて前記実施例６と同様に構成される。
【００８３】
したがって、これ以上の詳細な説明は省略する。
【００８４】
さらに、本発明の高耐久性筆記具構造は、上記した実施例以外にも本発明者により種々の変形形態とすることができる。例えば、前記先端固着機構及び後端固着機構は、それぞれ前記先端支持部材及び後端支持部材の前記外筒の先端側係合開口及び後端側係合開口内への嵌装部位の外面が部分的又は全面的にそれぞれ前記外筒に内接する任意断面形状に形成され、前記先端支持部材及び後端支持部材が内接する外筒の外面がそれぞれ一箇所又は複数箇所コーキングされることにより、前記先端支持部材及び後端支持部材が前記外筒に固着される変形形態とすることもできる。これにより、先端支持部材及び後端支持部材の鍔部又は突起部を省いて一層簡単な構造で製作費をさらに安価にできる。
【００８５】
また、前記外筒の先端側係合開口及び後端側係合開口は、前記実施例の四角形平面形状に限定されず任意の平面形状とし、これにそれぞれ嵌合する前記先端支持部材及び後端支持部材の部分的な鍔部又は突起部の形状を先端側係合開口及び後端側係合開口の形状に合せる等の変形形態とすることもできる。
【産業上の利用可能性】
【００８６】
本発明の高耐久性筆記具構造１〜１Ｆは、弾性を有する薄板から任意断面形筒状に屈曲形成された外筒１０〜１０Ｆと、外筒の先端側開口部１１内に嵌装された先端支持部材２０〜２０Ｆと、筆記具芯５０を繰出す筆記具芯繰出し部材４０と、外筒の後端側開口部１２内に嵌装され、筆記具芯繰出し部材と係合して筆記具芯繰出し部材を進退させる繰出し機構３４を備える後端支持部材３０と、から構成されることから、部品点数が最小限の簡単な構成で安価な任意の寸法に構成することが容易にでき設計の自由度を有し、工場や工事現場などでの過酷な使用にも耐える高耐久性筆記具構造を提供できる効果があり、ボールペンやシャープペンなど一般家庭、商店、企業や工場あるいは工事現場等々における日常茶飯事に使用される各筆記具に好適に適用できる。
【符号の説明】
【００８７】
１、１Ａ、１Ｂ、１Ｃ、１Ｄ、１Ｅ、１Ｆ；高耐久性筆記具構造
１０、１０Ｂ、１０Ｅ、１０Ｆ；外筒
１１；先端側開口部
１２；後端側開口部
１３、１３Ｂ、１３Ｅ；隙間
１４、１４Ｂ、１４Ｅ；先端側係合開口
１５；後端側係合開口
１６、１６Ａ、１６Ｂ、１６Ｃ、１６Ｄ、１６Ｅ、１６Ｆ；先端固着機構
１７；後端固着機構
２０、２０Ａ、２０Ｃ、２０Ｄ、２０Ｆ；先端支持部材
２１；筆記具芯挿通孔
２２；先端筆記部孔
２３；鍔部
２３Ａ、２３Ｃ；部分鍔部又は突起部
２４、２４Ａ、２４Ｃ、２４Ｄ、２４Ｆ；（外筒に内接する先端支持部材の）外面（円筒面）
２５；先端側外面
２６；段部
２７；テーパー面
３０；後端支持部材
３１；雌ねじ
３２；鍔部
３３；（外筒に内接する後端支持部材の）外面（円筒面）
３４；繰出し機構
４０；筆記具芯繰出し部材
４１；雄ねじ
４２；後端把持部
４３；先端係合部
４４；掛止部材取付孔
５０；筆記具芯（例えばボールペン芯）
５１；先端筆記部
５２；インク収容筒
６０；掛止部材
ａ；正三角形の辺長
ｂ、ｂＥ；隙間
ｃ；（先端側係合開口及び後端側係合開口の）Ｘ軸方向の開口幅
Ｄ１；（外筒に内接する先端支持部材及び後端支持部材の）外面径
Ｄ２；鍔部外径
ｅ、ｅＥ；（先端側係合開口及び後端側係合開口の）Ｘ軸直交方向の開口幅
ｆ；鍔部の（Ｘ軸方向の）幅
Ｘ；主軸
【図１】
2012187876.tif 000003
【図２】
2012187876.tif 000004
【図３】
2012187876.tif 000005
【図４】
2012187876.tif 000006
【図５】
2012187876.tif 000007
【図６】
2012187876.tif 000008
【図７】
2012187876.tif 000009
【図８】
2012187876.tif 000010
【図９】
2012187876.tif 000011
【図１０】
2012187876.tif 000012
【図１１】
2012187876.tif 000013
【図１２】
2012187876.tif 000014
【図１３】
2012187876.tif 000015
【図１４】
2012187876.tif 000016
【図１５】
2012187876.tif 000017
【図１６】
2012187876.tif 000018
【図１７】
2012187876.tif 000019
【図１８】
2012187876.tif 000020
【図１９】
2012187876.tif 000021
【図２０】
2012187876.tif 000022
【図２１】
2012187876.tif 000023